(57)【特許請求の範囲】
【請求項１】
内部に焙焼室を形成し、ヒーターなどの加熱手段を配設した本体と、
前記本体の前面開口部を開閉する開閉扉と、前記焙焼室内に着脱自在に配設される調理補助部品の受皿と、
前記本体の外底面に前記受皿を収納支持する収納部とを備え、
前記本体底面と、前記収納部に収納支持された受皿との垂直方向の距離が、利用者の指が入らない程度に近接しているオーブントースターにおいて、
前記本体底面の前端部の全部または一部を凹部形状とし、
前記本体の最底部の前端部と前記収納部に収納支持させた受皿の前端部との間に所定距離を設けたことを特徴とするオーブントースター。
【発明の詳細な説明】
【０００１】
【発明の属する技術分野】
この発明は、オーブントースターに係り、特に受皿の収納方法に関するものである。
【０００２】
【従来の技術】
図１７と図１８は、例えば本出願人の先の出願である特開平１２−２５９９１号に示された従来のオーブントースターを示す正面図と要部側断面図、図１９（ａ）は要部平面図、図１９（ｂ）はＡ−Ａ断面図である。図において、３１は内部に焙焼室を有するオーブントースター本体、３２は焙焼室の前面開口部に開閉自在に取り付けた開閉扉、３３は本体３１の前面に引き出し可能に設けたスライド式のくず受皿、３４は本体底板３１ａ下面の四隅に設けた脚部である。３５は本体底板３１ａの下部に収容された調理用補助部品である受皿である。３６は本体底板３１ａ下面の両側部に取付けられ、受皿３５を両側より支持して収納する収納支持片である。
【０００３】
次に、図１９を用いて収納支持片３６を詳述する。収納支持片３６は一枚の横長の金属板の中央の立設面の両側を長手方向に沿う２つのほぼ平行な線に沿って互いに反対方向にほぼ直角に折り曲げて形成したもので、中央の立設面によって側部支持面３７を形成し、両側の折り曲げ部によって底部支持面３８と取付面３９を形成したもので、側部支持面３７と底部支持面３８とにより受皿３５の収納支持部を構成する。４０は収納支持片３６の底部支持面３８の一端を上方にほぼ直角に折り曲げて形成した平面状の受皿止めである。４１は底部支持面３８の内面側、すなわち上面側において受皿止め４０の近傍に突設したほぼ直方体状の受皿抜け止めである。このように構成した一対の収納支持片３６は、図１７に示すように、本体底板３１ａ下面の両側部にそれぞれの側部支持面３７が向かい合うようにしてほぼ平行に配設し、取付面３９を本体底面３１ａにねじ４２によって取り付ける。
【０００４】
このような従来のオーブントースターにおいては、受皿３５を収納支持片３６の底部支持面３８に沿って本体３１の前面から押し込むと、受皿３５は側部支持面３７によって側部方向へ移動を規制されつつ滑動し、受皿抜け止め４１によって上方向、すなわち本体底面３１ａ側に押され、この状態でさらに押し込むと、受皿３５の後端部が受皿止め４０に当接して停止する。こうして、図１８に示すように、受皿止め４０側の受皿３５の上部が本体底面３１ａ側に押し付けられて、受皿３５が本体底板３１ａと底部支持面３８との間に傾斜するような形で挟まれ、本体３１を前方または後方に傾けても受皿３５が収納支持片３６から落下するとなく、安全であり、受皿３５が本体３１よりも後方に移動できないので、受皿３５にほこり等の汚れが付かない。
【０００５】
【発明が解決しようとする課題】
上記のような従来のオーブントースターでは、一対の収納支持片３６内に押し込まれて収納された受皿３５を取り出すとき、収納された受皿３５の前方縁端部分（以降前端部３５ａ）に指を掛けて手前に引っ張って取り出す。このとき、受皿３５とくず受皿３３との間の隙間から指を入れて受皿３５の前端部３５ａを引っ張るので、受皿３５とくず受皿３３との間の隙間が小さく引き出しにくいという問題点があった。そこで、この隙間を大きくすると、収納されている受皿３５内に開口される面積が大きくなり、受皿３５の内部にほこり等の汚れが溜まりやすくなり、また前記隙間を設けた場合には本体底板３１ａの下方部分に大きなスペースが生じ、オーブントースター本体の大型化にもなってしまうという問題点があった。
【０００７】
この発明は、上記のような課題を解決するためになされたもので、本体の外底部に調理補助部材である受皿を容易に取り出すことができるオーブントースターを得るものである。
【０００８】
この発明にかかるオーブントースターにおいては、内部に焙焼室を形成し、ヒーターなどの加熱手段を配設した本体と、前記本体の前面開口部を開閉する開閉扉と、前記焙焼室内に着脱自在に配設される調理補助部品の受皿と、前記本体の外底面に前記受皿を収納支持する収納部とを備え、前記本体底面と、前記収納部に収納支持された受皿との垂直方向の距離が、利用者の指が入らない程度に近接しているオーブントースターにおいて、前記本体底面の前端部の全部または一部を凹部形状とし、前記本体の最底部の前端部と前記収納部に収納支持させた受皿の前端部との間に所定距離を設けたものである。
【００１７】
【発明の実施の形態】
実施の形態１．
図１と図２はこの発明の実施の形態１であるオーブントースターを示す正面図と要部側断面図である。図において、１は内部に焙焼室を有するオーブントースター本体、２は前記焙焼室の前面開口部に開閉自在に取り付けた開閉扉、３は本体底板１ａ下面の四隅に設けた脚部、４は焙焼室内に設置して使用する調理用補助部品の受皿、４ａは受皿４の前端部、５は本体底板１ａの下面の両側部にそれぞれ取り付けた一対の収納支持片（特許請求の範囲における収納部）で、向かい合うようにしてほぼ平行に配設している。
【００１８】
次に、収納支持片５を詳述する。収納支持片５は一枚の横長の金属板の中央の立設面の両側を長手方向に沿う２つのほぼ平行な線に沿って互いに反対方向にほぼ直角に折り曲げて形成したもので、中央の立設面により側部支持面６を形成し、その両側の折り曲げ部により底部支持面７と取付面８を形成し、側部支持面６と底部支持面７とにより受皿４を収納支持するものであり、本体底板１ａ下面の凌側部それぞれ側部支持面６が向い合うようにしてほぼ平行に配設し、取付面８を本体底面１ａにねじ８ａにより取り付ける。収納支持片５の底部支持面７の一端を上方にはほぼ直角に折り曲げて形成した平面状の受皿止め９が形成され、底部支持面７の内面側、すなわち上面側において受皿止め９の近傍に突設したほぼ直方体の受皿抜け止め１０を設けている。このように構成された収納支持片５は、収納支持片５内に受皿４を収納支持したとき、受皿４の前端部４ａが本体底板１ａの前端部１ｂより前方に位置し、本体底板１ａの前端部１ｂと受皿４の前端部４ａとの間に使用者の指が通過できる所定距離Ａ（例えばＡ＞１０ｍｍ）が形成されるように構成されている。
【００１９】
このように構成されたオーブントースターは、収納支持片５内に収納支持されている受皿４を取り出すときには、使用者は所定距離Ａの空間から指を挿入して受皿４の前端部４ａに引っ掛けて、受皿４を手前に引き出して収納支持片５内から取り出す。このように、所定距離Ａの空間を設けたことにより、使用者は受皿４の前端部４ａに指を掛け易くなり、簡単な構造で収納支持片５内に収納された受皿４を容易に取り出すことができる。
【００２０】
実施の形態２．
図３と図４はこの発明の実施の形態２であるオーブントースターを示す正面図と要部側断面図である。図において、１〜１０は上記実施の形態１と同様であり、その説明は省略する。１１は本体１の底板１ａの前端部１ｂのほぼ中央部に設けた切欠部である。この切欠部１１は、切欠部１１における底板１ａの前端部１１ａと収納支持片５内に収納支持された受皿４の前端部４ａとの間に、指が挿入できる所定距離Ｂ（例えばＢ＞１０ｍｍ）の空間が形成されるように穿設する。
【００２１】
このように構成されたオーブントースターは、収納支持片５内に収納支持された受皿４を取り出すときには、使用者は所定距離Ｂの空間から指を挿入して受皿４の前端部４ａに引っ掛けて、受皿４を手前に引き出して収納支持片５内から取り出す。このように、所定距離Ｂの空間を切欠部１１によって設けたことにより、使用者は受皿４の前端部４ａに指を掛け易くなり、簡単な構造で収納支持片５内に収納された受皿４を容易に取り出すことができる。
【００２２】
実施の形態３．
図５と図６はこの発明の実施の形態３であるオーブントースターを示す正面図と要部側断面図である。図において、１〜１０は上記実施の形態１と同様であり、その説明は省略する。１２は本体１の底板１ａの前端部１ｂのほぼ中央部に設けた凹部である。この凹部１２は、凹部１２における底板１ａの前端部１２ａと収納支持片５内に収納支持された受皿４の前端部４ａとの間に、指が挿入できる所定距離Ｃ（例えばＣ＞１０ｍｍ）の空間が形成されるように設ける。
【００２３】
このように構成されたオーブントースターは、収納支持片５内に収納支持された受皿４を取り出すときには、使用者は所定距離Ｃの空間から指を挿入して受皿４の前端部４ａに引っ掛けて、受皿４を手前に引き出して収納支持片５内から取り出す。このように、所定距離Ｃの空間を凹部１２によって設けたことにより、使用者は受皿４の前端部４ａに指を掛け易くなり、簡単な構造で収納支持片５内に収納された受皿４を容易に取り出すことができる。
【００２４】
実施の形態４．
図７と図８はこの発明の実施の形態４のオーブントースター要部側断面図と要部上面図である。図において、１〜１０は上記実施の形態１と同様であり、その説明は省略する。１３は受皿４の外周縁の前端部の一辺に延出させたツバ部である。このツバ部１３は、本体１の底板１ａの前端部１ｂと受皿４の前端部４ａにあたるツバ部１３の前端部１３ａとの間に所定距離Ｄ（例えばＤ＞１０ｍｍ）の空間が形成されるように設ける。
【００２５】
このように構成されたオーブントースターは、収納支持片５内に収納支持された受皿４を取り出すときには、使用者は所定距離Ｄの空間によってツバ部１３を容易に摘むことができ、受皿４を手前に引き出して収納支持片５内から取り出す。このように、ツバ部１３によって所定距離Ｄの空間を形成したことにより、使用者は受け皿４の前端部４ａにあたるツバ部１３が摘み易くなり、簡単な構造で収納支持片５内に収納された受皿４を容易に取り出すことができる。さらに、ツバ部１３により所定距離Ｄを形成したことから、受皿４内の開口する面積がなく、受皿４内にほこり等が溜まらず衛生的に受皿４を収納支持することができる。さらに、ツバ部１３を受皿４の取手部として利用することができるので、受皿４が扱い易くなり使い勝手の良いものとなる。
【００２６】
また、図９に示すように、前記ツバ部をＵ字状に形成すれば（図中ツバ部１４）、上記空間距離Ｄ（前端部１ｂと前端部１４ａ間）をさらに大きく形成することができ、さらに収納支持片５内に収納支持された受皿４の取り出しが容易になり、またＵ字状のツバ部１４は突出していないので受皿４を収納支持片５内に収納支持して運搬する時などにツバ部１４が邪魔にならなず、扱いやすいものとなる。
【００２７】
実施の形態５．
図１０はこの発明の実施の形態５を示すオーブントースターの要部側断面図である。図において、１〜１０は上記実施の形態１と同様であり、その説明は省略する。１５はオーブントースター本体１が載置される載置面、１６は収納支持片５の底部支持面７と前記載置面１５との間に所定距離Ｅの空間（例えばＥ＞１０ｍｍ）が形成されるように高さ調整され、本体底板１ａ下面の四隅に設けた脚部である。
【００２８】
このように構成されたオーブントースターは、受皿４を収納支持片７内に下向き状態（逆さま）に収納された場合、載置面１５と収納支持片５の底部支持面７との間、つまり受皿４の前端部４ａと載置面１５との間に所定距離Ｅの空間が形成されているため、本体１の下方から所定距離Ｅの空間内に指を挿入して下向きの受皿４の前端部４ａに指を容易に引っ掛けることができ、簡単な構造で収納支持片５内に下向き状態で収納された受皿４を取り出すことができる。つまり、収納支持片５内に下向き状態に受皿４が収納支持されても容易に取り出すことができ、本体１の前端部１ｂに実施の形態３の凹部１２などを形成すれば、収納支持片５内に受皿４が上向き・下向きどちらで収納されても容易に取り出すことができるものとなる。
【００２９】
なお、ここでは所定距離Ｅの空間を、脚部１６の高さ調整により形成したが、これに限らず、収納支持片５内に下向き状態に収納支持された受皿４の前端部４ａと載置面１５との間に前記所定距離Ｃの空間が形成される構造であれば良く、同様の効果を得ることができる。
【００３０】
実施の形態６．
図１１と図１２は、この発明の実施の形態６を示すオーブントースターの要部側断面図と要部下面図である。図において、１〜１０は上記実施の形態１と同様であり、その説明は省略する。１７は受皿４の底面外周縁から下方に向かって突出させた凸部、１８はこの凸部１７と本体１の載置面１９との間に所定距離Ｆの空間（例えばＦ＞１０ｍｍ）が形成されるように高さ調整され、本体底板１ａの四隅に設けた脚部である。
【００３１】
このように構成されたオーブントースターは、収納支持片５内に収納支持された受皿４を取り出すときには、使用者は所定距離Ｆの空間により下方から指を挿入して受皿４の凸部１７に指を引っ掛けて、受皿４を手前に引き出して収納支持片５内から取り出す。このように、受皿４の底面外周縁に凸部１７を形成したことで、受皿４の前端部４ａと本体１の前端部１ｂとの間に指を挿入するための前記所定距離（Ａ〜Ｄ）を形成せずとも、簡単な構造で収納支持片５内に収納支持された受皿４を容易に取り出すことができ、かつ所定距離Ｆの空間により受皿４を下向き状態で収納支持しても収納支持片５内からの取り出しが容易に行なえ、収納支持片５内に受皿４が上向き・下向きどちらで収納されても容易に取り出すことができるものとなる。
【００３２】
また、図１３に示すように、受皿４の底面に熱変形絞り形状２０を形成する時にできる壁面２１を前記凸部１７としても良く、同様の効果を得ることができる。
【００３３】
また、前記凸部１７は前側と後側の両方に設けているが、どちらか一方側でも良く、凸部１７を設けた側を前側として収納支持片５内に収納することで受皿４の収納支持片５に対する位置決めともなり、使い勝手の良いものなる。
【００３４】
実施の形態７．
図１４はこの発明の実施の形態７を示すオーブントースターの要部側断面図である。図において、１〜１０は前記実施の形態１と同様であり、その説明は省略する。２２は収納支持片５の前端部分に設けた所定角度ｅ（０°＜ｅ＜９０°）の傾斜を有する案内片である。
【００３５】
このように構成されたオーブントースターは、収納支持片５内に受皿４を収納支持させるときに、受皿４が水平ではなく斜めの状態で収納支持片５内に収納しようとすると、受皿４は案内片２２に当たり、そのまま案内片２２に沿って押しこまれていき、収納支持片５中に収納支持される。このようにして、受皿４は水平でない状態で収納支持片５内に収納しようとしても、案内片２２により簡単に収納支持片５内に収納支持させることができる。
【００３６】
実施の形態８．
また、オーブントースターには、本体１の底板１ａ上に前面に引き出し可能なスライド式のくず受皿２３を配設したものもある。この場合、本体１の底板１ａの前端部１ｂがオーブントースターの最低部になる場合と、くず受皿２３の前端部２３ａが最低部になる場合がある。本体１の底板１ａの前端部１ｂが最低部の場合は、前記実施の形態１〜４の構造を設けたり、実施の形態５〜７の構造とすれば同様の効果を得ることができる（図１５（ａ）参照）。さらに、くず受皿２３の前縁部２３ａと底板１ａそれぞれの前端部分に前記実施の形態１〜３の構造を設ければ、さらに受皿４を収納支持片５内から取り出しやすくなる（図１５（ｂ）参照）。くず受皿２３の前縁部２３ａが最低部の場合にも、前記実施の形態１〜４の構造を設けたり、実施の形態５〜７の構造とすることで同様の効果が得られるが、実施の形態１〜３の構造においては、図１６に示すように、くず受皿２３の前端部２３ａが底板１ａの前端部１ｂより下方に位置した状態で前記実施の形態１〜３の構造を設ける場合もある。この場合、くず受皿２３と前端部２３ａと底板１ａの前端部１ｂが矢印Ａ方向から見ると２重構造となっているため、実施の形態１〜３の構造をくず受皿２３の前端部２３ａに設けただけでは底板１ａの前縁部１ｂと受皿４の前端部４ａとの関係が従来技術と同様となってしまうので、この場合は受皿４前記実施の形態１〜３の構造を設けるとともに、受皿４の前端部４ａと底板１ａの前端部１ｂとの間にも前記実施の形態１〜３の構造を設ける（所定距離の空間を設ける）ことで同様の効果を得ることができるということになる。
【００３７】
また、収納支持片７の構造は、前記実施の形態１〜７に限らず、他の構造で受皿５を収納する構造であれば同様の効果を得ることがでる。
【００３８】
【発明の効果】
この発明は、以上説明したように構成されるので、以下に示すような効果を奏する。
【００３９】
内部に焙焼室を形成し、ヒーターなどの加熱手段を配設した本体と、前記本体の前面開口部を開閉する開閉扉と、前記焙焼室内に着脱自在に配設される調理補助部品の受皿と、前記本体の外底面に前記受皿を収納支持する収納部とを備え、前記本体底面と、前記収納部に収納支持された受皿との垂直方向の距離が、利用者の指が入らない程度に近接しているオーブントースターにおいて、前記本体底面の前端部の全部または一部を凹部形状とし、前記本体の最底部の前端部と前記収納部に収納支持させた受皿の前端部との間に所定距離を設けたので、使用者は、受皿の前端部に指が掛け易くなり、収納部に収納支持された受皿を簡単な構造で容易に取り出すことができる。
【図面の簡単な説明】
【図１】  この発明の実施の形態１を示すオーブントースターの正面図である。
【図２】  この発明の実施の形態１を示すオーブントースターの要部側断面図である。
【図３】  この発明の実施の形態２を示すオーブントースターの正面図である。
【図４】  この発明の実施の形態２を示すオーブントースターの要部側断面図である。
【図５】  この発明の実施の形態３を示すオーブントースターの正面図である。
【図６】  この発明の実施の形態３を示すオーブントースターの要部側断面図である。
【図７】  この発明の実施の形態４を示すオーブントースターの要部側断面図である。
【図８】  この発明の実施の形態４を示すオーブントースターの要部上面図である。
【図９】  この発明の実施の形態４を示すオーブントースターの要部側断面図である。
【図１０】  この発明の実施の形態５を示すオーブントースターの要部側断面図である。
【図１１】  この発明の実施の形態６を示すオーブントースターの要部側断面図である。
【図１２】  この発明の実施の形態６を示すオーブントースターの要部上面図である。
【図１３】  （ａ）この発明の実施の形態６を示すオーブントースターの要部上面図である。
（ｂ）この発明の実施の形態６を示すオーブントースターの要部断面図である。
【図１４】  この発明の実施の形態７を示すオーブントースターの要部側断面図である。
【図１５】  （ａ）この発明の実施の形態８を示すオーブントースターの要部側断面図である。
（ｂ）この発明の実施の形態８を示すオーブントースターの要部側断面図である。
【図１６】  この発明の実施の形態８を示すオーブントースターの要部側断面図である。
【図１７】  従来のオーブントースターを示す正面図である。
【図１８】  従来のオーブントースターを示す要部側断面図である。
【図１９】  （ａ）従来のオーブントースターを示す要部平面図である。
（ｂ）従来のオーブントースターを示す要部断面図である。
【符号の説明】
１  オーブントースタ本体、２  開閉扉、３  脚部、４  受皿、４ａ  前端部、５  収納支持片（収納部）、６  側部支持面、７  底部支持面、８  取付面、９受皿止め、１０  受皿抜け止め、１１  切欠部、１２  凹部、１３  ツバ部（取手部）、１４  ツバ部（取手部）、１５  載置面、１６  脚部、１７  凸部、１８  脚部、１９  載置面、２０  熱変形絞り形状、２１  壁面、２２  案内片、２３  くず受皿、Ａ〜Ｆ  所定距離の空間、ｅ  所定角度。
【図１】
0003814777.tif 000002
【図２】
0003814777.tif 000003
【図３】
0003814777.tif 000004
【図４】
0003814777.tif 000005
【図５】
0003814777.tif 000006
【図６】
0003814777.tif 000007
【図７】
0003814777.tif 000008
【図８】
0003814777.tif 000009
【図９】
0003814777.tif 000010
【図１０】
0003814777.tif 000011
【図１１】
0003814777.tif 000012
【図１２】
0003814777.tif 000013
【図１３】
0003814777.tif 000014
【図１４】
0003814777.tif 000015
【図１５】
0003814777.tif 000016
【図１６】
0003814777.tif 000017
【図１７】
0003814777.tif 000018
【図１８】
0003814777.tif 000019
【図１９】
0003814777.tif 000020